(57)【要約】【課題】作業者が容易に屋根上に設置することができ、極めて安全性の高い瓦屋根用足場及びその構築方法を提供する。【解決手段】固定用帯状部材10を棟部40に固定し、その一方端に紐状掛止部材13を連結でき、その他方端には足場用帯状部材15を着脱自在に連結固定できる。固定用帯状部材10は裏面側に滑り止め部材が設けられた合成ゴムからなり、足場用帯状部材15は表面側に滑り止め部材が設けられた合成ゴムからなる。固定用帯状部材10を棟部40に固定する固定手段は、その両端部にフックを有する伸縮自在の紐状部材からなる。この紐状部材は固定用帯状部材10の略中央長手方向に列設された２つの貫通穴に挿通されており、両端部のフックを棟部の基部に掛止し、固定用帯状部材10の表面側に位置するストッパー部材ををそれぞれの端部側に摺動させて固定できる。【選択図】図４
2012012764.tif 000002
【特許請求の範囲】
【請求項１】
建築物の瓦屋根上での作業を行うために使用する瓦屋根上足場であって、
適宜長さの固定用帯状部材(10)を棟部と交差する方向に固定し、
この固定用帯状部材(10)の一方端には少なくとも１本の紐状掛止部材(13)を着脱自在に連結することができ、この紐状掛止部材(13)の他方端にはフック等の掛止部材(13f) を設けて適宜位置の屋根平瓦の縁部に掛止することができ、
上記固定用帯状部材(10)の他方端には、足場を形成するための足場用帯状部材(15)を着脱自在に連結固定することができ、
前記固定用帯状部材(10)は裏面側に滑り止め部材が設けられた合成ゴム等の可撓性を有する素材からなり、
前記足場用帯状部材(15)は表面側に滑り止め部材が設けられた合成ゴム等の可撓性を有する素材からなることを特徴とする瓦屋根上足場。
【請求項２】
前記固定用帯状部材(10)を棟部に固定する固定手段が、固定用帯状部材(10)の略中央部長手方向に列設された少なくとも２つの貫通穴(10i, 10i)に挿通された伸縮自在の紐状部材(11)からなり、この紐状部材(11)の両端部が固定用帯状部材(10)の裏面側に配置され、その両先端部にはフック等の掛止部(11f)が設けられ、固定用帯状部材(10)の表面側に位置する紐状部材(11)のそれぞれにはストッパー部材(11s)が設けられており、
前記紐状部材(11)の両端部の掛止部(11f, 11f)を棟部の基部の両側のそれぞれに掛止し、固定用帯状部材(10)の表側に位置する紐状部材(11)のストッパー部材(11s, 11s)をそれぞれの端部側に摺動させて固定することによって固定用帯状部材(10)を棟部に固定することができ、
前記紐状掛止部材(13)の２本を用いて固定用帯状部材(10)の一方端を屋根平瓦の縁部にそれぞれ掛止したことを特徴とする請求項１に記載の瓦屋根上足場。
【請求項３】
足場用帯状部材(10)を連結固定する固定部材に輪状掛止部(18)を設け、この輪状掛止部(18)に安全綱の一端を掛止することができ、安全綱には所定間隔で輪状掛止部が設けられていることを特徴とする請求項１又は２に記載の瓦屋根上足場。
【請求項４】
建築物の瓦屋根上作業を行うために使用する瓦屋根上足場の構築方法であって、
裏面に滑り止め部材が設けられた可撓性を有する固定用帯状部材(10)を棟部と交差する方向に固定する過程と、
この固定用帯状部材(10)の一方端に少なくとも１本の紐状掛止部材(13)を連結し、その紐状掛止部材(13)の他方端の掛止部(13f)を適宜位置の屋根平瓦の縁部に掛止する過程と、
前記固定用帯状部材(10)の他方端には、表面に滑り止め部材が設けられた可撓性を有する足場用帯状部材(15)を連結固定する過程とからなることを特徴とする瓦屋根上足場の構築方法。
【発明の詳細な説明】
【技術分野】
【０００１】
本発明は、建築物の瓦屋根上に設置して、例えばソーラーパネル等を設置する際等に使用する足場及びその足場の構築方法に関するものである。
【背景技術】
【０００２】
家屋等の建築物の瓦屋根上にソーラーパネル、ソーラー温水器、或いはエアコンの室外機等を設置したりするような場合等、屋根上で各種の作業を行う場合には、滑落等の事故を防止するために足場を形成することが必要となる。
従来の足場としては、下記特許文献に記載のものを挙げることができる。
【０００３】
下記特許文献１に記載のものは、屋根面等の傾斜面が傾斜、凹状又は凸状に湾曲していても、この傾斜面にぴったりとフィットさせて安定性の向上を図れ、作業者の転倒を防止し、歩行、作業の安全を図れる傾斜面工事用の足場を提供するものである。
この足場は、屈曲自在な板と、この板の表面に複数隔設したステップとからなり、前記ステップが断面山形状の中空な本体と、本体の底部に形成した窪みとからなり、前記板に上記窪みに対向する屈曲部を形成し、上記屈曲部を上記窪みに当てがって両者を結合したことを特徴とするものである。
【０００４】
下記特許文献２に記載のものは、設置の際に、屋根面等の仕上げ面を傷つけることがない屋根作業用梯子に関するものである。
その構成は、屋根面の傾斜方向に沿って設けられる屋根作業用梯子に、固定部材を収納する凹部と、桟部材の端部を収納する穴部とを備えたゴム製のカバー部材を設け、このカバー部材で固定部材を覆うとともに、カバー部材をその間に挟んだ状態で桟部材と固定部材とを結合するものである。
これにより、カバー部材を固定部材に別途固定する必要がなくなり、桟部材の端部には、表面から突出する硬い部位が一切なくなるので、通常の使い方では、屋根面を傷付けることがなくなるものである。
【先行技術文献】
【特許文献】
【０００５】
【特許文献１】特開２００８−１９６０３号公報
【特許文献２】特開２０００−２７５７６号公報
【発明の概要】
【発明が解決しようとする課題】
【０００６】
本発明においては、上記従来のものと異なる構成を採用することによって、作業者が容易に屋根上に設定することができ、しかも極めて安全性の高い足場を提供することを目的としている。
また、本発明においては、屋根上足場として１つのコンパクトな商品としてネット販売等も可能なセット商品として販売できるような構成として商品化を図ることもその課題である。
更に、本発明においては、雨天の際でも屋根上作業を可能とするように、雨水によっても滑ることがなく、作業中、雨水によっても屋根から雨漏りが生ずることもない足場を提供することもその課題である。
【課題を解決するための手段】
【０００７】
上記課題を解決するために、本発明の第１のものは、建築物の瓦屋根上での作業を行うために使用する瓦屋根上足場であって、適宜長さの固定用帯状部材を棟部と交差する方向に固定し、この固定用帯状部材の一方端には少なくとも１本の紐状掛止部材を着脱自在に連結することができ、この紐状掛止部材の他方端にはフック等の掛止部材を設けて適宜位置の屋根平瓦の縁部に掛止することができ、上記固定用帯状部材の他方端には、足場を形成するための足場用帯状部材を着脱自在に連結固定することができ、前記固定用帯状部材は裏面側に滑り止め部材が設けられた合成ゴム等の可撓性を有する素材からなり、前記足場用帯状部材は表面側に滑り止め部材が設けられた合成ゴム等の可撓性を有する素材からなることを特徴とする瓦屋根上足場である。
【０００８】
本発明の第２のものは、上記第１の発明において、前記固定用帯状部材を棟部に固定する固定手段が、固定用帯状部材の略中央部長手方向に列設された少なくとも２つの貫通穴に挿通された伸縮自在の紐状部材からなり、この紐状部材の両端部が固定用帯状部材の裏面側に配置され、その両先端部にはフック等の掛止部が設けられ、固定用帯状部材の表面側に位置する紐状部材のそれぞれにはストッパー部材が設けられており、前記紐状部材の両端部の掛止部を棟部の基部の両側のそれぞれに掛止し、固定用帯状部材の表側に位置する紐状部材のストッパー部材をそれぞれの端部側に摺動させて固定することによって固定用帯状部材を棟部に固定することができ、前記紐状掛止部材の２本を用いて固定用帯状部材の一方端を屋根平瓦の縁部にそれぞれ掛止したことを特徴とする請求項１に記載の瓦屋根上足場である。
【０００９】
本発明の第３のものは、上記第１又は第２の発明において、足場用帯状部材を連結固定する固定部材に輪状掛止部を設け、この輪状掛止部に安全綱の一端を掛止することができ、安全綱には所定間隔で輪状掛止部が設けられていることを特徴とする瓦屋根上足場である。
【００１０】
本発明の第４のものは、建築物の瓦屋根上作業を行うために使用する瓦屋根上足場の構築方法であって、裏面に滑り止め部材が設けられた可撓性を有する固定用帯状部材を棟部と交差する方向に固定する過程と、この固定用帯状部材の一方端に少なくとも１本の紐状掛止部材を連結し、その紐状掛止部材の他方端の掛止部を適宜位置の屋根平瓦の縁部に掛止する過程と、前記固定用帯状部材の他方端には、表面に滑り止め部材が設けられた可撓性を有する足場用帯状部材を連結固定する過程とからなることを特徴とする瓦屋根上足場の構築方法である。
【発明の効果】
【００１１】
本発明の第１のものにおいては、裏面に滑り止め部材が設けられた可撓性を有する素材からなる固定用帯状部材を屋根の棟部にその交差する方向に掛け渡して固定することができ、極めて簡単に棟部に取り付けることができる。
また固定用帯状部材の一方端には少なくとも１本の紐状掛止部材を連結して、この紐状掛止部材の他方端部は、係止部材により屋根平瓦の縁部に掛止してより安全性を向上させている。
【００１２】
更に上記固定用帯状部材の他方端部には、表面側に滑り止め部材が設けられた可撓性を有する足場用帯状部材を連結固定して容易に屋根上作業用の足場を構築することができるものである。
上記固定用帯状部材及び足場用帯状部材は、それぞれ可撓性を有する素材から形成されているために、屋根の棟部及び屋根部表面の凹凸に適切に適合することができ、作業者は滑り止め効果を有する履物を履いて上記足場用帯状部材の上面を滑落の恐れなく歩行することが可能となる。
【００１３】
また、本発明に係る足場では、その固定用帯状部材が棟部に固定され、屋根瓦を剥がして屋根下地材等に固定されるものではないために、雨漏りの心配も無く、雨天でも作業が可能となる。
本発明に係る足場においては、その構成部材がそれぞれ独立で、これらを組み合わせて構築することができ、これら構成部材を分離した状態でコンパクトに包装体に収納ができ、販売に際して極めて便利な商品とすることができ、通信販売も可能となる。
この請求項１に係る発明では、１本の足場としてその権利を要求しているが、この足場の複数を棟部に固定して複数本の足場として実際には設営することができるものである。
【００１４】
本発明の第２のものにおいては、前記固定用帯状部材を棟部に固定する固定手段が、両先端部にフック等の掛止部が設けられた伸縮自在な紐状部材と、固定用帯状部材の略中央長手方向に列設された少なくとも２つの貫通穴とからなり、紐状部材の両端部の掛止部は固定用帯状部材の裏面側に配置し、固定用帯状部材の表面側の紐状部材のそれぞれにはストッパー部材が摺動自在に設けられている。
これにより伸縮自在の紐状部材の両端部の掛止部を棟部の基部のそれぞれの側に掛止し、固定用帯状部材の表面側に位置するストッパー部材を両端部側に、即ち裏面側にスライドさせることにより簡単に固定用帯状部材を棟部に固定することができるものとなる。
また紐状部材が伸縮自在なために、棟部の高さが異なっていても何の問題もなく適合させることができるものである。
更に、この発明では固定用帯状部材の一方端には２本の紐状掛止部材が連結され、この紐状掛止部材の先端の掛止部材が屋根平瓦の縁部に掛止でき安全性を向上させている。
【００１５】
本発明の第３のものにおいては、足場用帯状部材を連結固定する固定部材に輪状掛止部を設け、この輪状掛止部に安全綱の一端を掛止することができ、安全綱には所定間隔で輪状掛止部を設けているために、これらの輪状掛止部に作業者の命綱を掛止して作業することができ、より安全性を担保するように構成した。
【００１６】
本発明の第４のものにおいては、建築物の瓦屋根上作業を行うために使用する瓦屋根上足場の構築方法であって、上記第１の発明と同様に、裏面に滑り止め部材が設けられた可撓性を有する固定用帯状部材を棟部と交差する方向に固定する過程と、この固定用帯状部材の一方端に少なくとも１本の紐状掛止部材を連結し、その他方端部を適宜位置の屋根平瓦の縁部に係止する過程と、前記固定用帯状部材の他方端には、表面に滑り止め部材が設けられた可撓性を有する足場用帯状部材を連結固定する過程とからなる瓦屋根上足場の構築方法であるが、上記構成により瓦屋根の棟部の所望位置から軒部に渡り１本の足場をより簡易に構築することが可能となるものである。
【図面の簡単な説明】
【００１７】
【図１】本発明の第１の実施形態に係る足場の構成部材を分解して図示する分解説明図である。
【図２】上記実施形態に係る固定用帯状部材とその固定構造を図示したものであり、その（Ａ）が固定用帯状部材の平面図、その（Ｂ）が固定用帯状部材の固定構造の側面図である。
【図３】上記実施形態に係る足場を屋根部に設置した状態を示す正面側の模式図である。
【図４】上記実施形態に係る足場を取り付けた状態を示しており、その（Ａ）が棟部の拡大図、その（Ｂ）が足場全体を示す側面全体概略図である。
【図５】本発明の第２の実施形態に係る足場の構成部材を分解して図示する分解説明図である。
【発明を実施するための形態】
【００１８】
以下、添付の図面と共に本発明の実施形態について説明する。
図１は、本発明の第１の実施形態に係る足場の構成部材を分解して図示する分解説明図である。
本発明に係る足場は、屋根の棟部に固定される固定用帯状部材１０と、この固定用帯状部材１０を棟部に固定するための先端にフック部（掛止部）１１ｆを備える伸縮自在のゴム管からなる紐状部材１１、１１と、前記固定用帯状部材１０の一方端に連結できる紐状掛止部材１３と、前記固定用帯状部材１０の他方端に連結固定できる足場用帯状部材１５と、これら固定用帯状部材１０と足場用帯状部材１５とを連結し、固定する固定部材１６、１７とから構成される。
【００１９】
固定用帯状部材１０は、横幅が１５０ｍｍ程度のゴム製シート材の帯状のものを使用し、その裏面側（屋根側）には滑り止め部材が接合されたものから成る。
その長手方向長さは、屋根の各種棟部に対応できるように、即ち、最も高い棟部に、その棟部と直交する方向に掛け渡して両側の平瓦の部分に届く程度の長さのものを使用する。
他方、足場用帯状部材１５も前記固定用帯状部材１０と同じ素材のものを利用して、その滑り止め部材が接合された側を表側にして使用する。その長手方向長さは、屋根の棟部から軒部までの長さに適合するものを使用する。
【００２０】
固定用帯状部材１０には、少なくともその両端部の幅方向に一対の貫通穴１０ｈ、１０ｈ、１０ｊ、１０ｊを設けており、またその長手方向の中央部には２個ずつ貫通穴１０ｉ、１０ｉを適宜間隔で複数個所に設けている。
足場用帯状部材１５には、少なくともその一方端部の幅方向に一対の貫通穴１５ｈ、１５ｈを設けている。
【００２１】
前記固定用帯状部材１０は、これを棟部と直交する方向に棟部に掛け渡し、紐状部材１１を用いて、即ちそのフック部１１ｆを裏面側に配置して、紐状部材１１の他方端を固定用帯状部材１０の貫通穴１０ｉに挿通させ、前記フック部１１ｆを棟部の基部に掛止して、紐状部材１１の他方端部を伸長させて、貫通穴１０ｉの表面側で固縛して、固定用帯状部材１０を固定する。
同様にして、固定用帯状部材１０の隣接する貫通穴１０ｉに紐状部材１１を挿通させて、その一方端のフック部１１ｆを棟部の反対側基部に掛止して、紐状部材１１の他方端を伸長して貫通穴１０ｉの表面側で固縛して、固定用帯状部材１０を２本の紐状部材１１、１１によって棟部の両側基部に固定することができるのである。
【００２２】
次に、安全のために、固定用帯状部材１０の他方の一方端部に設けられている貫通穴１０ｊ、１０ｊに、２本の紐状掛止部材１３、１３を連結する。
即ち、紐状掛止部材１３の両端部には係止部材としてのフック部１３ｆがそれぞれ設けられており、一方のフック部１３ｆを固定用帯状部材１０の貫通穴１０ｊに掛止し、他方のフック部１３ｆは屋根平瓦の縁部に掛止するのである。
この紐状掛止部材１３は伸縮しない合成ゴム製の可撓性のあるものを使用し、その両端部及び中間部の所定間隔ごとに孔部が形成され、これらの孔部を選んでＳ字状のフック部１３ｆを連結して使用するのである。
【００２３】
最後に、固定用帯状部材１０の他方端部に足場用帯状部材１５を連結して固定することができる。
即ち、前記固定部材１６、１７によりこれら両者を連結し固定するのであるが、この固定部材は、固定用帯状部材１０の裏面側に配置される固定用雄金具１６と固定用雌金具１７とからなる。
固定用雄金具１６は、薄板状本体部の表面側に２本の螺子棒が植設されたものである。
他方、固定用雌金具１７は、薄板状本体部に２つの貫通穴部を有するものからなり、その表面側中央部には環状掛止部１８が設けられたものである。
【００２４】
両者の連結固定は次のようになる。
固定用帯状部材１０の他方端に設けれている貫通穴１０ｈ、１０ｈに固定用雄金具１６の２本の螺子棒１６ｓ、１６ｓを裏面側から挿通し、これらの螺子棒１６ｓ、１６ｓに更に足場用帯状部材１５の一方端部に形成されている貫通穴１５ｈ、１５ｈを挿通し、その後固定用雌金具１７を嵌合して、図示はしていないナットを締着することによりこれら固定用帯状部材１０と足場用帯状部材１５を連結し固定するのである。
【００２５】
以上により、瓦屋根の棟部から軒部に渡り、足場用帯状部材１５が設けられるのである。
固定用雌金具１７に設けた環状掛止部１８は、図示はしていないが、安全綱を連結するためのものである。
また、本発明に係る上記第１の実施形態は、上記構成部材からなる１組のものであり、この１組のものを複数用いて、棟部から軒部に架けて複数本の足場用帯状部材を設置することもできる。
この点は、屋根上作業の目的に応じて決定することができるものである。
【００２６】
図２は、上記実施形態に係る固定用帯状部材とその固定構造を図示したものであり、その（Ａ）が固定用帯状部材の平面図、その（Ｂ）が固定用帯状部材の固定構造の側面図である。
前記した通り、固定用帯状部材１０は、裏面に滑り止め部材が接合された柔軟で可撓性を有するゴム製帯状体のものからなり、その図中左側端部には、足場用帯状部材と連結するための、貫通穴１０ｈ、１０ｈが一対設けられ、その図中右側端部には、紐状掛止部材と連結するための貫通穴１０ｊ、１０ｊが一対設けられている。
【００２７】
また、その中央部長手方向に、２本の伸縮自在の紐状部材を挿通するための２つの貫通穴１０ｉ、１０ｉが所定間隔で３箇所に形成されている。これは、後に説明するが棟部の異なる高さに対応できるようにしたためである。
図２（Ｂ）から解る通り、軒部４０ａ、４０ｂ、４０ｃの高さは、上段から下段に向かってその高さが小さくなっており、これらに適合させるように、固定用帯状部材１０に設けた貫通穴１０ｉの位置をその中央部から左側に位置するものにずらして適合させて行くのである。
【００２８】
このようにして、固定用帯状部材１０の左側端部が棟部４０の直近の平瓦の上に位置するように配慮している。
紐状部材１１、１１は、その２本を用いて、その一方端部のフック部を棟部の基部に引っ掛けて、その他方端部を固定用帯状部材１０の貫通穴１０ｉ、１０ｉに挿通させた後に固縛してこれを固定でき、紐状部材１１は、伸縮自在なために、棟部４０の高さの相違に十分に対応することができる。
固定用帯状部材１０が２本の紐状部材１１、１１により固定されると、固定用帯状部材１０の他方端部は、紐状掛止部材１３、１３によって更に屋根平瓦の縁部に係止される。
【００２９】
図３は、上記実施形態に係る足場を屋根部に設置した状態を示す正面側の模式図である。
この模式図では、４組の足場を設置した状態を図示しており、棟部４０には固定用帯状部材１０を固定し、この固定用帯状部材１０の一方端部に固定部材１６、１７によって足場用帯状部材１５が連結固定されている。
この足場用帯状部材１５は、図示した通り、棟部４０から軒部４２の部分までに渡り設置することができる。
この図には現していないが、この固定部材１７の側に設けられている環状掛止部に安全綱を連結することもできる。
【００３０】
図４は、本発明の上記実施形態に係る足場を取り付けた状態を示しており、その（Ａ）が棟部の拡大図、その（Ｂ）が足場全体を示す側面全体概略図である。
ぞの（Ａ）図からよく解るように、固定用帯状部材１０が棟部に固定され、この固定用帯状部材１０の一方端には、２本の紐状掛止部材１３、１３が連結し、その他方端のフック部１３ｆは、平瓦４１、４１の縁部に掛止され、前記固定用帯状部材１０の他方端には、足場用帯状部材１５が固定部材１６、１７により連結固定されている。
同様に、上記構成を図４（Ｂ）の側面概略図が示している。図中５０は、梯子を示している。
【００３１】
図５は、本発明の第２の実施形態に係る足場の構成部材を分解して図示する分解説明図である。
本発明の第２の実施形態においても、足場は、屋根の棟部に固定される固定用帯状部材１０と、この固定用帯状部材１０を棟部に固定するための先端にフック部（掛止部）１１ｆを備える伸縮自在のゴム管からなる紐状部材１１と、前記固定用帯状部材１０の一方端に連結できる紐状掛止部材１３と、前記固定用帯状部材１０の他方端に連結固定できる足場用帯状部材１５と、これら固定用帯状部材１０と足場用帯状部材１５とを連結し、固定する固定部材２６、１７とから構成される。
この実施形態では、前記第１の実施形態と異なり、１本の伸縮自在の紐状部材１１を使用している。
【００３２】
固定用帯状部材１０は、前記第１の実施形態と異なり横幅が７５ｍｍ程度の幅狭のゴム製シート材の帯状のものを使用し、その裏面側（屋根側）には滑り止め部材が接合されたものから成る。
その長手方向長さは、屋根の各種棟部に対応できるように、即ち、最も高い棟部に、その棟部と直交する方向に掛け渡して両側の平瓦の部分に届く程度の長さのものを使用する。
他方、足場用帯状部材１５の横幅は、前記固定用帯状部材１０の約２倍の１５０ｍｍ程度のもの（前記第１実施形態と同様のもの）を使用し、その素材も同じものを利用して、その滑り止め部材が接合された側を表側にして使用する。その長手方向長さは、屋根の棟部から軒部までの長さに適合するものを使用する。
【００３３】
固定用帯状部材１０には、少なくともその一方端部の幅方向に一対の貫通穴１０ｊ、１０ｊを設けており、またその長手方向の中央部には２個ずつ貫通穴１０ｉ、１０ｉを適宜間隔で複数個所に設けている。
足場用帯状部材１５には、少なくともその一方端部の幅方向に一対の貫通穴１５ｈ、１５ｈを設けている。
【００３４】
前記固定用帯状部材１０は、この実施形態では１本の伸縮自在のゴム管からなる紐状部材１１によって固定される。
この紐状部材１１の両端部にはフック部１１ｆ、１１ｆが設けられており、これらフック部１１ｆ、１１ｆが、固定用帯状部材１０の裏面側に配置するように、固定用帯状部材１０の中央部長手方向に列設する挿通穴１０ｉ、１０ｉに挿通されている。
この紐状部材１１の固定用帯状部材１０の表面側にはストッパー部材１１ｓ、１１ｓが設けられている。
【００３５】
このストッパー部材１１ｓは、紐状部材１１に沿って摺動するものである。
即ち、このストッパー部材１１ｓは、プラスチック製のものからなり、２つの円筒状部材が内部のコイルスプリングによってその軸方向に伸縮でき、両筒状部材の直径方向に貫通する孔部に前記紐状部材が挿通している構造のものである。
そして、両筒状部材を軸方向に相互に収縮させると両貫通孔が合致して、紐状部材上を摺動できる構成のものである。
【００３６】
これにより、固定用帯状部材１０を棟部と直交する方向に掛け渡し、紐状部材１１の両端部のフック部１１ｆ、１１ｆを棟部の基部両側のそれぞれに掛止して、紐状部材１１の他方側を伸長させて、貫通穴１０ｉの表面側でストッパー部材１１ｓをそれぞれ先端部側に、即ち裏面側に摺動させて固定用帯状部材１０を固定することができるのである。
このようにして、前記第１の実施形態と異なり、１本の紐状部材１１を使用し、これを伸長させた状態で、摺動自在に設けられたストッパー部材１１ｓを摺動させることによって簡単に固定用帯状部材１０を棟部に固定することができるのである。
【００３７】
次に、安全のために、固定用帯状部材１０の一方端部に設けられている貫通穴１０ｊ、１０ｊに、紐状掛止部材１３、１３を連結する。
即ち、紐状掛止部材１３の両端部にはフック部１３ｆがそれぞれ設けられており、一方のフック部１３ｆを固定用帯状部材１０の貫通穴１０ｊに掛止し、他方のフック部１３ｆは屋根平瓦の縁部に掛止するのである。
この紐状掛止部材１３の構成は前記第１の実施形態と同じである。
【００３８】
最後に、固定用帯状部材１０の他方端部には、足場用帯状部材１５を連結して固定することができる。
即ち、前記固定部材２６、１７によりこれら両者を連結し固定するのであるが、これら固定部材においては、固定用帯状部材１０の側に設けられた固定用雄金具２６が前記第１の実施形態と相違している。
即ち、この固定用雄金具２６は、２枚の薄板状本体部２６ｈ、２６ｈからなり、両者がその中央端で軸着固定されている。これにより両薄板状本体部２６ｈ、２６ｈの相互の角度を適宜変更することができるように構成している。
これら両薄板状本体部２６ｈの他方端部表面側にはそれぞれ螺子棒２６ｓが設けられている。
他方、固定用雌金具１７は、前記第１の実施形態のものと同様である。
即ち、固定用雌金具１７は、薄板状本体部に２つの貫通穴部を有するものからなり、その表面側中央部には環状掛止部１８が設けられたものである。
【００３９】
両者の連結固定は次のようになる。
固定用帯状部材１０の一方端に設けれている固定用雄金具２６の２本の薄板状本体部２６ｈの角度を適宜設定して、螺子棒２６ｓ、２６ｓの間隔と、固定用帯状部材１０の端部の貫通孔１５ｈ、１５ｈの間隔とを合致させる。
２本の螺子棒２６ｓ、２６ｓを固定用帯状部材１０の裏面側からその貫通孔１５ｈ、１５ｈに挿通し、これらの螺子棒２６ｓ、２６ｓに更に固定用雌金具１７を適合させ、図示はしていないナットを締着することによりこれら固定用帯状部材１０と足場用帯状部材１５を連結し固定することができる。
【００４０】
以上により、瓦屋根の棟部から軒部に渡り、足場用帯状部材１５が設けられるのである。
固定用雌金具１７に設けた環状掛止部１８は、図示はしていないが、安全綱を連結するためのものである。
また、本発明に係る上記第２の実施形態においても、上記構成部材からなる１組のものであり、この１組のものを複数用いて、棟部から軒部に架けて複数本の足場用帯状部材を設置することができることも前記第１の実施形態と同じである。
【００４１】
本発明に係る足場の構築方法については、上記の実施形態の説明からほぼ明らかであるが、以下説明を加える。
先ず、棟部に固定用帯状部材１０を棟部と略直交する方向に掛け渡す。その際に、棟部の高さに適合させて、２個並んだ貫通穴１０ｉ、１０ｉを選び、これらを棟部の頂部に位置させる。また滑り止め部材が設けられた面は、棟部側に配置する。
その状態で、端部にフック部１１ｆが設けられている紐状部材１１を用いて、そのフック部１１ｆを棟部の基部に掛止し、他方端部を固定用帯状部材１０の中央部長手方向に列設する貫通穴１０ｉに挿通させてその貫通穴１０ｉの表面側で固縛する。これを棟部基部の両側で行い、２本の紐状部材１１、１１により固定用帯状部材１０を棟部４０に固定する。
ここで第２実施形態を用いた場合には、紐状部材１１が１本のものからなり、両端部のフック部１１ｆを棟部の両側に基部に掛止した後に、ストッパー部材１１ｓを摺動させて簡単に固定することができる。
【００４２】
次に、上記固定用帯状部材１０の一方端に少なくとも１本の紐状掛止部材１３を連結し、その紐状掛止部材１３の他方端の掛止部１３ｆを適宜位置の屋根平瓦の縁部に掛止する
最後に、固定用帯状部材１０の他方端に、裏面に滑り止め部材が設けられた可撓性を有する足場用帯状部材１５を固定部材によって連結し固定することにより、本発明に係る足場が構築されるのである。
【００４３】
固定用帯状部材１０を棟部に固定するための固定手段としては、上記のように２本の伸縮自在な紐状部材を使用するのではなく、１本の紐状部材と、固定用帯状部材１０の一方端に設けた棟部掛止部によって固定することもできる。
この場合には、上記棟部掛止部を棟部の一方の側の基部に掛止し、その後紐状部材１１の端部のフック部１１ｆを棟部の他方の側の基部に掛止し、その後紐状部材１１の他方端部を固定用帯状部材１０の貫通穴１０ｉに挿通してその表面側で固縛することによって、固定用帯状部材１０を棟部に固定することもできる。
【００４４】
以上、本発明の実施形態について説明したが、本発明においては、以下の通り種々設計変更することができる。
先ず、上記実施形態では、固定用帯状部材の固定手段として、先端にフック部が設けられた２本の伸縮自在の紐状部材を利用したが、上記の構築方法でも記述したとおり、これら２本を使用せずに、この１本を使用し、固定用帯状部材の一方端部に、足場用帯状部材が連結する反対側端部に、鉤型の掛止部を設け、この鉤型掛止部を直接棟部の基部の一方の側に掛止して、その後に１本の前記伸縮自在の紐状部材で固定することもできる。
【００４５】
この場合には、足場用帯状部材の側に固定用帯状部材の他方端部分がより長く配置するようになるが、足場用帯状部材の端部を固定用帯状部材により長く重ね合わせることにより、棟部に隣接させて足場用帯状部材を連結固定することができる。つまり、固定用帯状部材の幅方向に設ける一対の貫通穴を固定用帯状部材の中央部側に向かって、その複数の対を適宜間隔で列設しておけばよいのである。図２（Ａ）では、その貫通穴１０ｈ、１０ｈを複数対列設して設けたものを図示している。
このように、固定用帯状部材の一方端部に鉤型掛止部を設けた場合には、紐状掛止部１３は、その１本のみを使用するものであっても、その強度は十分に保持できる。
【００４６】
固定用帯状部材及び足場用帯状部材の横幅は、自由に設計することができ、特に足場用帯状部材は、上記実施形態では１５０ｍｍのものを使用したが、これが２００ｍｍ程度のものを使用してもよい。その幅は自由に設定することができる。
また、上記実施形態では、固定用及び足場用帯状部材として、既成のベルトコンベアに使用されているゴム製のものを使用して、これを適宜幅及び長さに裁断したものを使用しているが、この素材も、柔軟性と可撓性を有するものであれば、その素材は問わない。
足場用帯状部材の裏面側（瓦屋根側）の一部に滑り止め部材を設けることも極めて好ましい形態となる。
【００４７】
前述した通り、固定用帯状部材と足場用固定部材とを連結固定する固定部材として、固定用雄金具と固定用雌金具を使用したが、その固定用雌金具の中央部に環状掛止部を設けており、この環状掛止部には安全綱を連結することができる。
この安全綱は、例えば、その一方端部にその一部が開閉自在の連結環が設けられたもので、これを前記環状掛止部に係合することにより簡単に連結することができるものである。
そして、この安全綱には、所定間隔で輪状環状部が形成されており、この輪状環状部に作業者のベルト等に連結された命綱の一端を着脱自在に連結できるような構成にすることができるが、このような構成は既に既製品として市場に存在するものを使用できる。
【００４８】
固定用帯状部材の一端に連結する紐状掛止部材についても、その素材やサイズ等適宜設計変更することができるのであるが、その先端部に設けるフック部は、その取り付け位置が変更できるものを使用するのが好ましい。或いは、その長さを伸縮自在に変更できるものであってもよい。何れにしても、固定用帯状部材の固定補助としてその強度が十分なものであれば、どのようなものであってもよいものである。
また、固定用及び足場用帯状部材を連結固定する固定部材も適宜設計変更可能である。
以上、本発明は、とりわけ複雑な構成要素を用いることなく、市販の既成材料を用いて１組の瓦屋根用の足場を構築することができ、仮に雨天であっても雨水による滑落防止にも非常に大きな効果を発揮して、屋根上作業を容易に行うことができるものである。  
【符号の説明】
【００４９】
１０  固定用帯状部材
１０ｈ、１０ｉ、１０ｊ  貫通穴
１１  紐状部材
１１ｆ  フック部
１１ｓ  ストッパー部材
１３  紐状掛止部材
１３ｆ  フック部
１５  足場用帯状部材
１５ｈ  貫通穴
１６、２６  固定用雄金具（固定部材）
１７  固定用雌金具（固定部材）
１８  環状掛止部
４０  棟部
４１  平瓦
４２  軒部
【図１】
2012012764.tif 000003
【図２】
2012012764.tif 000004
【図３】
2012012764.tif 000005
【図４】
2012012764.tif 000006
【図５】
2012012764.tif 000007